(57)【特許請求の範囲】
【請求項１】
ユーザの所望条件を示すキーワードを含むユーザ関連情報を無線信号にて送信する複数の第１移動端末装置と、所定地域内で前記複数の第１移動端末装置から個別に送信された無線信号の受信によってユーザ関連情報を各々収集し、その収集した各ユーザ関連情報に応じて情報を配信する通信事業者の情報配信装置と、を備えた情報配信システムであって、
前記情報配信装置は、各種情報を記憶したデータベース記憶手段と、
所定時間内に前記収集した各ユーザ関連情報に含まれる前記キーワードに応じて前記データベースを検索する検索手段と、
前記検索手段の各検索結果の情報に応じて同一の検索結果の情報となったヒット数を情報毎に算出し、そのヒット数の多い順に所定数の情報を配信情報とする配信情報作成手段と、
前記所定地域内の移動端末装置に対して前記配信情報を無線信号にて送信する送信手段と、を含み、
前記所定地域内の移動端末装置は、前記無線信号を受信して前記配信情報を告知する告知手段を含むことを特徴とする情報配信システム。
【請求項２】
前記情報配信装置は、前記複数の第１移動端末装置各々が前記所定地域内に存在するか否かを判別する判別手段と、前記判別手段によって前記所定地域内に存在することが判別された前記第１移動端末装置から送信された無線信号の受信によってユーザ関連情報を収集する手段とを有することを特徴とする請求項１記載の情報配信システム。
【請求項３】
前記情報配信装置は、前記複数の第１移動端末装置に対してユーザ関連情報の送信要求を送信する送信要求手段を有し、
前記複数の第１移動端末装置は、前記送信要求に応答して前記ユーザ関連情報を無線信号にて送信することを特徴とする請求項１記載の情報配信システム。
【請求項４】
前記送信手段は、前記複数の第１移動端末装置であって前記所定地域内の移動端末装置に対して前記配信情報を無線信号にて送信することを特徴とする請求項１記載の情報配信システム。
【発明の詳細な説明】
【０００１】
【発明が属する技術分野】
本発明は、移動端末装置にユーザの嗜好等の所望条件に適合した情報を配信する情報配信システムに関する。
【０００２】
【従来の技術】
所望の情報を収集するためには関連する書籍や雑誌を見たり、或いはインターネットを利用してＷｅｂページを検索することが一般的である。
【０００３】
【発明が解決しようとする課題】
近時、携帯端末装置等の移動端末装置のユーザが増加しており、移動端末装置によってユーザの嗜好等の条件に適合した情報を素早く入手することが望まれている。
そこで、本発明の目的は、移動端末装置に対してユーザの所望条件に適合した情報を効率よく配信することができる情報配信システムを提供することである。
【０００９】
【課題を解決するための手段】
本発明の情報配信システムは、ユーザの所望条件を示すキーワードを含むユーザ関連情報を無線信号にて送信する複数の第１移動端末装置と、所定地域内で複数の第１移動端末装置から個別に送信された無線信号の受信によってユーザ関連情報を各々収集し、その収集した各ユーザ関連情報に応じて情報を配信する通信事業者の情報配信装置と、を備えた情報配信システムであって、情報配信装置は、各種情報を記憶したデータベース記憶手段と、所定時間内に収集した各ユーザ関連情報に含まれるキーワードに応じてデータベースを検索する検索手段と、検索手段の各検索結果の情報に応じて同一の検索結果の情報となったヒット数を情報毎に算出し、そのヒット数の多い順に所定数の情報を配信情報とする配信情報作成手段と、所定地域内の移動端末装置に対して配信情報を無線信号にて送信する送信手段と、を含み、所定地域内の移動端末装置は、無線信号を受信して配信情報を告知する告知手段を含むことを特徴としている。
【００１５】
【発明の実施の形態】
以下、本発明の実施例を図面を参照しつつ詳細に説明する。
図１は本発明による情報配信システムの基本的構成を示している。この情報配信システムは、情報サーバ１１、複数の基地局装置１２1〜１２3、電話交換局装置１４及び携帯端末装置２１からなる。情報サーバ１１、複数の基地局装置１２1〜１２3及び電話交換局装置１４は携帯電話事業を行う携帯電話事業者が所有するものである。携帯端末装置２１はそのユーザＰが携帯電話事業者との間で契約を行うことにより所有したものである。この実施例では説明を簡単にするために携帯端末装置２１だけを示しているが、これに限らず、複数の携帯端末装置があっても良い。
【００１６】
複数の基地局装置１２1〜１２3は、携帯電話及びデータのための送受信信号の中継を行う装置であり、セルと呼ばれる小さな地域Ｃ１〜Ｃ３毎に配置されている。なお、図１では３つの基地局装置１２1〜１２3だけを示しているが、実際には多数の基地局装置が存在する。また、その複数の基地局装置１２1〜１２3は各専用回線１０によって電話交換局装置１４を中心にして接続されたネットワークを形成している。情報サーバ１１は専用回線１３を介して電話交換局装置１４に接続されている。
【００１７】
携帯端末装置２１は携帯電話機として機能を有する移動端末装置である。概略的に構成を示すと、図２に示すように、携帯端末装置２１は無線電話及びデータ通信のための送受信部３１と、表示部３２と、操作部３３と、メモリ３４と、ＣＰＵからなる制御回路３５とを備えている。送受信部３１にはアンテナ３１ａの他に電話送話用のマイクロホン３６及び受話用のスピーカ３７が接続されている。また、携帯端末装置２１は装置自体の現在位置を検出するためにＧＰＳ（グローバルポジショニングシステム）装置３８を備えている。制御回路３５は、送受信部３１、表示部３２、操作部３３、メモリ３４及びＧＰＳ装置３８に接続され、携帯端末装置２１全体の動作を制御する。
【００１８】
携帯端末装置２１が送受信する電波は、基地局装置１２1〜１２3のいずれか１によって受信される。
情報サーバ１１は嗜好に関する情報を携帯端末装置のユーザに提供するサーバである。情報サーバ１１は記憶装置１１ａを外部に有し、記憶装置１１ａにはデータベースが形成されている。記憶装置１１ａは情報サーバ１１内にあっても良いことは勿論である。
【００１９】
データベースの内容、すなわちユーザの嗜好に関する提供情報として、本実施例では図３に示すように飲食店情報がジャンル、好み、価格、店名及び位置毎に示されている。また、飲食店の店舗毎のメニューやその店舗位置を示す地図データも飲食店情報に含まれる。
位置は図４に示すようにセルをメッシュ状に分割した領域で示され、アルファベットＡ，Ｂ，Ｃ，……と、数字１，２，３，……とからなるメッシュ領域コードによって特定されるようになっている。上記のＧＰＳ装置３８によって携帯端末装置２１の現在位置がメッシュの各領域のうちのいずれの領域であるかとして検出される。検出された現在位置はメモリ３４にメッシュ領域コードとして書き込まれる。携帯端末装置２１の移動によってメッシュ領域（上記したメッシュ状の分割によって得られた領域）が変更された場合には、メモリ３４のメッシュ領域コードは更新される。なお、そのメモリ３４にはセル毎のセル識別コードも記録される。
【００２０】
各携帯端末装置のユーザはユーザ嗜好情報を予め登録している。ユーザ嗜好情報はデータベースからの検索条件（所望条件）を示すデータであり、端末識別コード毎に記憶装置１１ａに記憶されている。飲食店情報の場合の検索条件としては、上記のジャンル、好み及び価格のうちの少なくもと１が定められる。また、ユーザの三食各々の食事時間帯も飲食店情報の検索条件として登録される。端末識別コードは携帯端末装置、すなわちユーザを特定するための識別コードであり、携帯端末装置毎に予め割り当てられいる。携帯端末装置２１では端末識別コードはメモリ３４に記録されている。
【００２１】
なお、ユーザのユーザ嗜好情報の登録では、携帯端末装置がそのユーザの通常の行動を認識して収集し、その収集結果を定期的に情報サーバ１１に供給する方法、或いは携帯端末装置に電子決済機能があれば、買い物の内容を判別してそれに基づいてユーザ嗜好情報を収集し、その収集結果を定期的に情報サーバ１１に供給する方法を用いることもできる。また、ユーザ嗜好情報は必ずしもユーザの嗜好に限らず、移動の目的地、或いは年代や家族等のユーザに関連する関連情報を含んでも良い。
【００２２】
かかる構成の情報配信システムにおいては、携帯端末装置２１がそのユーザＰと共に移動してメッシュ領域が変更された場合に、その新たなメッシュ領域の飲食店情報をユーザＰの登録条件に応じて配信することが行われる。この飲食店情報配信動作を次に図５に従って説明する。
携帯端末装置２１の制御回路３５は、上記したユーザ嗜好情報を操作部３３からの操作入力に応じて受け入れ（ステップＳ１）、そのユーザ嗜好情報の登録要求を情報サーバ１１に対して送信する（ステップＳ２）。ユーザ嗜好情報の登録要求は複数の基地局装置１２1〜１２3のうちのいずれか１の基地局装置で受信され、その受信された登録要求は更に、電話交換局装置１４を介して情報サーバ１１に転送される（ステップＳ３）。情報サーバ１１は、ユーザ嗜好情報の登録要求を受信すると、記憶装置１１ａにユーザ嗜好情報を記憶させる（ステップＳ４）。登録要求には端末識別コードが含まれるので、記憶装置１１ａには端末識別コードと組をなしてユーザ嗜好情報は記憶される。
【００２３】
なお、携帯端末装置２１から情報サーバ１１に対してユーザ嗜好情報を登録することを示したが、図１に示すようにパーソナルコンピュータの如き固定端末装置１９からインターネット２０を介して情報サーバ１１に対してユーザ嗜好情報を供給してユーザ嗜好情報の登録を行うことも可能である。この場合には、携帯端末装置２１のユーザは携帯端末装置２１によって情報サーバ１１にアクセスし、情報サーバ１１から所定のパスワードを携帯端末装置２１で受け取った後、固定端末装置１９からインターネット２０を介して情報サーバ１１にアクセスして上記の所定のパスワードを入力してユーザの特定を行ってからユーザ嗜好情報の登録を行うことになる。
【００２４】
このようにユーザ嗜好情報の登録が行われた後、携帯端末装置２１の制御回路３５は、所定期間毎に現在位置が他のメッシュ領域に変化したか否か判別する（ステップＳ１１）。携帯端末装置２１の移動によって現在位置が他のメッシュ領域に変化した場合には、位置変更通知が送受信部３１及びアンテナ３１ａを介して送信される（ステップＳ１２）。位置変更通知には端末識別コード、セル識別コード及び新たなメッシュ領域コードが含まれる。なお、現在位置が他のメッシュ領域近傍まで来たときに位置変更通知を送信しても良い。
【００２５】
位置変更通知は複数の基地局装置１２1〜１２3のうちのいずれか１の基地局装置で受信され、その受信された位置変更通知は更に、電話交換局装置１４を介して情報サーバ１１に転送される（ステップ１３）。
情報サーバ１１は、位置変更通知を受信すると、その位置変更通知に含まれた端末識別コードに対応した食事時間帯の検索条件データを記憶装置１１ａから読み出して現在の時刻がその食事時間帯に合致するか否かを判別する（ステップＳ１４）。合致するならば、端末識別コードに対応したジャンル、好み及び価格についての検索条件データを記憶装置１１ａから読み出し、その読み出した検索条件データと受信した位置変更通知に含まれたセル識別コード及びメッシュ領域コードとに応じて記憶装置１１ａの飲食店情報のデータベースを検索する（ステップＳ１５）。ステップＳ１５の検索では、現在のメッシュ領域が例えば、Ａ１ならば、そのＡ１においてユーザの検索条件データを満たす飲食店が検出される。例えば、図３のデータベースの場合には、ジャンルが「ラーメン」で、価格が「安い」という検索条件データならば、メッシュ領域Ａ１では店名「○○ラーメン」が検索される。
【００２６】
情報サーバ１１においては、ステップＳ１５の検索結果に応じた配信飲食店情報が例えば、所定形式のファイルとして作成され（ステップＳ１６）、その配信飲食店情報は携帯端末装置２１のために送信される（ステップＳ１７）。送信される配信飲食店情報には携帯端末装置２１の端末識別コードの他に、検索結果の店名、メニュー、その店を示す地図等のデータが含まれる。なお、ステップＳ１６では配信飲食店情報は例えば、ＳＭＳ（ショートメッセージサービス）等のメール形式で形成されても良い。
【００２７】
送信された配信飲食店情報は、電話交換局装置１４を介して携帯端末装置２１が存在するセルの基地局装置（図１の場合にはセルＣ１の基地局装置１２1）に転送され、更に、配信飲食店情報に含まれる端末識別コードに従って基地局装置から無線信号として携帯端末装置２１に送信される（ステップＳ１９）。
携帯端末装置２１では、配信飲食店情報がアンテナ３１ａを介して送受信部３１で受信されると、制御回路３５は表示部３２に配信飲食店情報に基づいた表示を行う（ステップＳ２０）。
【００２８】
図６は表示部３２の表示例を示している。この表示例では、上記の「○○ラーメン」の位置が現在位置と共に表示されている。また、図６の表示例では、「メニュー」ボタン、「電話」ボタン及び「混み具合」ボタンが示されているが、「メニュー」ボタンを操作すると、「○○ラーメン」のメニューが例えば、画像付きで表示され、「混み具合」ボタンを操作すると、「○○ラーメン」の現在の混み具合が分かり、また「電話」ボタンを操作すると、「○○ラーメン」へ電話を掛けることも可能である。
【００２９】
なお、上記した実施例においては、ステップＳ１１の判別によって携帯端末装置２１の現在位置が他のメッシュ領域に変化したことが検出されているが、この判別は基地局装置等の携帯電話事業者側の装置で行っても良い。すなわち、ＧＰＳ装置３８から得た携帯端末装置２１の現在位置データを所定周期毎に基地局装置に与えて基地局装置で判断するのである。こうすることにより、携帯端末装置側の負荷を減らすことができる。
【００３０】
また、上記した実施例においては、携帯端末装置のユーザのユーザ嗜好情報が検索条件データとして情報サーバ１１側の記憶装置１１ａに予め記録されていているが、かかる検索条件データを携帯端末装置２１のメモリ３４に記憶させておいても良い。図７は検索条件データが携帯端末装置２１のメモリ３４に記憶された場合の飲食店情報配信動作を示している。
【００３１】
図７の飲食店情報配信動作においては、携帯端末装置２１の制御回路３５は、所定期間毎に現在位置が他のメッシュ領域に変化したか否か判別する（ステップＳ２１）。携帯端末装置２１の移動によって現在位置が他のメッシュ領域に変化した場合には、検索条件データをメモリ３４から読み出し（ステップＳ２２）、その検索条件データを付加した位置変更通知が送受信部３１及びアンテナ３１ａを介して送信される（ステップＳ２３）。位置変更通知には上記したステップＳ１２の場合と同様に端末識別コード、セル識別コード及び新たなメッシュ領域コードが含まれることは勿論である。
【００３２】
位置変更通知は複数の基地局装置１２1〜１２3のうちのいずれか１の基地局装置で受信され、その受信された位置変更通知は更に、電話交換局装置１４を介して情報サーバ１１に転送される（ステップ２４）。
情報サーバ１１は、位置変更通知を受信すると、その位置変更通知に含まれた検索条件データを抽出し（ステップＳ２５）、現在の時刻が検索条件データ中の食事時間帯に合致するか否かを判別する（ステップＳ２６）。合致するならば、検索条件データ中のジャンル、好み及び価格と、受信した位置変更通知に含まれたセル識別コード及びメッシュ領域コードとに応じて記憶装置１１ａの飲食店情報のデータベースを検索する（ステップＳ２７）。このステップＳ２７の検索動作は上記のステップＳ１５と同様の動作である。
【００３３】
情報サーバ１１においては、ステップＳ２７の検索結果に応じた配信飲食店情報が例えば、所定形式のファイルとして作成され（ステップＳ２８）、その作成された配信飲食店情報は携帯端末装置２１のために送信される（ステップＳ２９）。
送信された配信飲食店情報は、電話交換局装置１４を介して携帯端末装置２１が存在するセルの基地局装置に転送され、更に、基地局装置から無線信号として携帯端末装置２１に送信される（ステップＳ３０）。
【００３４】
携帯端末装置２１では、配信飲食店情報がアンテナ３１ａを介して送受信部３１で受信されると、制御回路３５は表示部３２に配信飲食店情報に基づいた表示を行う（ステップＳ３１）。
ステップＳ２８〜Ｓ３１は上記のステップＳ１６〜Ｓ２０と同一である。
かかる図７の飲食店情報配信動作においては、情報サーバ１１側に携帯端末装置のユーザの嗜好情報を登録する必要がないので、情報サーバ１１の記憶容量や情報管理の負担が軽減されるという効果がある。
【００３５】
図８は、図１の情報配信システムの構成に、更に広告事業者が所有する情報サーバ１５を備えた情報配信システムを示している。情報サーバ１５は携帯電話事業者が所有する情報サーバ１１とは専用回線１６によって接続され、情報サーバ１１，１５の間で通信可能にされている。
図８のシステムでは、情報サーバ１１は上記の飲食店情報のデータベースを記憶装置１１ａには有していない。代わって、情報サーバ１５がその飲食店情報のデータベースを記憶装置１５ａに有している。記憶装置１５ａに形成された飲食店情報のデータベースは図３に示されたもので良い。
【００３６】
情報サーバ１５には、小売店や飲食店等の情報提供者が所有する端末装置１８1〜１８nがインターネット回線網１７を介して接続されている。記憶装置１５ａのデータベースの飲食店情報は端末装置１８1〜１８n各々から送られてくる最新情報によって更新されるようになっている。
ユーザ嗜好情報である検索条件データは端末識別コード毎に情報サーバ１１側の記憶装置１１ａに記憶されている。
【００３７】
かかる図８に示した構成の情報配信システムにおいては、携帯端末装置２１が移動してメッシュ領域が変更された場合に、その新たなメッシュ領域の飲食店情報をユーザの登録条件に応じて配信することが行われる。この飲食店情報配信動作を次に図９に従って説明する。なお、図９において、図５に示したステップと同一部分は同一ステップ番号を用いて示している。
【００３８】
携帯端末装置２１の制御回路３５は、所定期間毎に現在位置が他のメッシュ領域に変化したか否か判別する（ステップＳ１１）。携帯端末装置２１の移動によって現在位置が他のメッシュ領域に変化した場合には、位置変更通知が送受信部３１及びアンテナ３１ａを介して送信される（ステップＳ１２）。位置変更通知には端末識別コード、セル識別コード及び新たなメッシュ領域コードが含まれる。
【００３９】
位置変更通知は複数の基地局装置１２1〜１２3のうちのいずれか１の基地局装置で受信され、その受信された位置変更通知は更に、電話交換局装置１４を介して情報サーバ１１に転送される（ステップ１３）。
情報サーバ１１は、位置変更通知を受信すると、その位置変更通知に含まれた端末識別コードに対応した検索条件データを記憶装置１１ａから読み出して受信した位置変更通知に検索条件データを付加し（ステップＳ４１）、その付加した位置変更通知を情報サーバ１５に送信する（ステップＳ４２）。
【００４０】
情報サーバ１５は、位置変更通知を受信すると、その位置変更通知に含まれた検索条件データのうちから食事時間帯を取り出して、現在の時刻がその食事時間帯に合致するか否かを判別する（ステップＳ４３）。合致するならば、ジャンル、好み及び価格についての検索条件データと受信した位置変更通知に含まれたセル識別コード及びメッシュ領域コードとに応じて記憶装置１１ａの飲食店情報のデータベースを検索する（ステップＳ４４）。このステップＳ４４の検索動作は上記の情報サーバ１１によるステップＳ１５と同様の動作である。
【００４１】
ステップＳ４４のデータベースの検索では、更に、隣接セルの広告情報を検索する方法、ユーザの進行方向を予想し、それに合致するセルの広告情報を検索する方法、或いは、ユーザの関連情報（嗜好情報）に、例えば、「本日の目的地」を登録する欄がある場合には、その目的地のセルにユーザが到達した際又は到達する直前に、検索を行って広告配信する方法を用いても良い。
【００４２】
情報サーバ１５においては、ステップＳ４４の検索結果に応じた配信飲食店情報が例えば、所定形式のファイルとして作成され（ステップＳ４５）、その配信飲食店情報は携帯端末装置２１のために送信される（ステップＳ４６）。
送信された配信飲食店情報は、先ず、情報サーバ１１に受信されて、情報サーバ１１から電話交換局装置１４を介して携帯端末装置２１が存在するセルの基地局装置に転送され（ステップＳ４７）、更に、基地局装置から無線信号として携帯端末装置２１に送信される（ステップＳ１９）。
【００４３】
携帯端末装置２１では、配信飲食店情報がアンテナ３１ａを介して送受信部３１で受信されると、制御回路３５は表示部３２に配信飲食店情報に基づいた表示を行う（ステップＳ２０）。
かかる図９の飲食店情報配信動作においては、携帯電話事業者では得ることができない最新情報を広告事業者は情報サーバ１５のデータベースに備えることなるので、最新情報を配信飲食店情報として携帯端末装置に送信することができる。これは、広告事業者の情報サーバ１５のデータベースは小売店等の店舗が所有する端末装置１８1〜１８n各々から送られてくる最新情報によってリアルタイムで更新されるからである。また、ユーザの嗜好情報を小売店等の店舗に知らせておき、ユーザの嗜好に合った情報をユーザに迅速に提供することも可能である。
【００４４】
図１０は、図８に示したシステムにおいて検索条件データが情報サーバ１１側の記憶装置１１ａに代えて携帯端末装置２１のメモリ３４に記憶された場合の飲食店情報配信動作を示している。なお、図１０において、図７に示したステップと同一部分は同一ステップ番号を用いて示している。
図１０の飲食店情報配信動作においては、携帯端末装置２１の制御回路３５は、所定期間毎に現在位置が他のメッシュ領域に変化したか否か判別する（ステップＳ２１）。携帯端末装置２１の移動によって現在位置が他のメッシュ領域に変化した場合には、検索条件データをメモリ３４から読み出し（ステップＳ２２）、その検索条件データを付加した位置変更通知が送受信部３１及びアンテナ３１ａを介して送信される（ステップＳ２３）。
【００４５】
位置変更通知は複数の基地局装置１２1〜１２3のうちのいずれか１の基地局装置で受信され、その受信された位置変更通知は更に、電話交換局装置１４を介して情報サーバ１１に転送される（ステップ２４）。情報サーバ１１はその位置変更通知を情報サーバ１５に転送する（ステップＳ５１）。
情報サーバ１５は、位置変更通知を受信すると、その位置変更通知に含まれた検索条件データのうちから食事時間帯を取り出して、現在の時刻がその食事時間帯に合致するか否かを判別する（ステップＳ５２）。合致するならば、ジャンル、好み及び価格についての検索条件データと受信した位置変更通知に含まれたセル識別コード及びメッシュ領域コードとに応じて記憶装置１１ａの飲食店情報のデータベースを検索する（ステップＳ５３）。このステップＳ５３の検索動作は上記の情報サーバ１１によるステップＳ１５と同様の動作である。
【００４６】
情報サーバ１５においては、ステップＳ５３の検索結果に応じた配信飲食店情報が例えば、所定形式のファイルとして作成され（ステップＳ５４）、その配信飲食店情報は携帯端末装置２１のために送信される（ステップＳ５５）。
送信された配信飲食店情報は、先ず、情報サーバ１１に受信され、情報サーバ１１から電話交換局装置１４を介して携帯端末装置２１が存在するセルの基地局装置に転送され（ステップＳ５６）、更に、基地局装置から無線信号として携帯端末装置２１に送信される（ステップＳ３０）。
【００４７】
携帯端末装置２１では、配信飲食店情報がアンテナ３１ａを介して送受信部３１で受信されると、制御回路３５は表示部３２に配信飲食店情報に基づいた表示を行う（ステップＳ３１）。
ステップＳ３０，Ｓ３１は上記のステップＳ１９，Ｓ２０と同一である。
かかる図１０の飲食店情報配信動作においては、携帯電話事業者では得ることができない最新情報を広告事業者は情報サーバ１５のデータベースに備えることなるので、最新情報を配信飲食店情報として携帯端末装置に送信することができる。また、図７の飲食店情報配信動作と同様に、情報サーバ１１側に携帯端末装置のユーザの嗜好情報を登録する必要がないので、情報サーバ１１の記憶容量や情報管理の負担が軽減されるという効果がある。
【００４８】
なお、図１０に示した飲食店情報配信動作においては、情報サーバ１１は位置変更通知及び配信飲食店情報の転送をしているだけであるので、情報サーバ１１は無くても良い。すなわち、位置変更通知は電話交換局装置１４から情報サーバ１１を介すことなく情報サーバ１５に直接送信され、配信飲食店情報は情報サーバ１５から情報サーバ１１を介すことなく電話交換局装置１４に直接送信されるようにしても良い。
【００４９】
また、図１及び図８に示したシステムにおいては、携帯端末装置２１には現在位置がメッシュ領域のいずれにあるかを検出するためにＧＰＳ装置３８が備えられているが、ＧＰＳ装置を用いた現在位置検出方法に限らず、ビーコン等の位置情報を含む電波を受信する方法を用いることもできる。また、携帯端末装置２１が存在するセルの基地局装置において携帯端末装置２１の現在位置をメッシュ領域の程度で検出し、その検出したメッシュ領域を示すコードを携帯端末装置２１に与えても良い。基地局装置は例えば、複数のアンテナを用いて携帯端末装置２１の送信電波の電界強度を検出し、その検出電界強度各々から携帯端末装置２１の現在位置をメッシュ領域の程度で検出することが可能である。よって、基地局装置において携帯端末装置２１の現在位置をメッシュ領域の程度で検出することができるならば、携帯端末装置２１は基地局装置から供給されるメッシュ領域を示すコードに応じて現在位置が他のメッシュ領域に変化したことを検出することができる。また、位置情報を含む電波を受信する方法と、基地局装置が携帯端末装置の現在位置を携帯端末装置からの電波の受信によって検出する方法とを併用することもできる。
【００５０】
なお、携帯電話事業者の情報サーバが携帯端末装置に情報が配信された場合には、その情報を提供した店舗や広告事業者に対しても配信情報をそのまま送信又は情報配信を行った旨の情報を送信しても良い。こうすることによって、情報配信についての課金処理に役立つだけでなく、店舗にとってはユーザの来客を期待又は予想することができるという利点もある。
【００５１】
また、上記した各実施例においては、飲食店情報が配信される場合について説明したが、飲食店以外の他の店舗についての広告情報をユーザの嗜好情報に応じて配信しても良い。例えば、上記したステップＳ１４ではユーザの嗜好情報が時刻に関連する場合の判断が行われ、特に時刻に関係ない場合にはこのステップＳ１４は省略される。また、ステップＳ１５ではユーザの嗜好情報に応じたデータベースの検索が行われ、その検索結果に応じて配信情報がステップＳ１６では作成された後、ステップＳ１７及びＳ１９で送信及び転送される。
【００５２】
次に、図１１は更に、本発明によるセル内に情報を配信する方式の情報配信システムの基本的構成を示している。この情報配信システムは、情報サーバ５１、複数の基地局装置５２1〜５２3、電話交換局装置５４及び携帯端末装置６１，６２からなる。
情報サーバ５１及び複数の基地局装置５２1〜５２3は携帯電話事業を行う携帯電話事業者が所有するものである。携帯端末装置６１，６２各々はそのユーザＰ１，Ｐ２が携帯電話事業者との間で契約を行うことにより所有したものである。本実施例では、説明を簡単にするために２つの基地局装置だけを示しているが、基地局装置の数は限定されない。また、同様に携帯端末装置についても携帯端末装置６１，６２だけを示しているが、これに限らず、複数の携帯端末装置があっても良い。
【００５３】
複数の基地局装置５２1〜５２3は、携帯電話及びデータのための送受信信号の中継を行う装置であり、各専用回線５５によって電話交換局装置５４を中心にして接続されたネットワークを形成している。情報サーバ５１は専用回線５３を介して電話交換局装置５４に接続されている。
携帯端末装置６１，６２は携帯電話機として機能を有している。概略的な構成は、図２に示した携帯端末装置２１のものと同一で良いが、ＧＰＳ装置３８については特に設ける必要はない。しかしながら、情報の配信範囲をセルという地域に拘らないで、上記の図４のようにメッシュ領域の如きセルを更に細分化した複数の範囲のうちのいずれかの範囲を配信範囲とする場合にはＧＰＳ装置３８を設けても良い。
【００５４】
携帯端末装置６１，６２各々が送受信する電波は、基地局装置５２1〜５２3のいずれか１によって受信される。基地局装置５２1〜５２3各々は予め定められた小さなセル（地域）Ｃ１〜Ｃ３に設置されている。
情報サーバ５１は店舗に関する情報を携帯端末装置を介してそのユーザに提供するサーバである。情報サーバ５１は記憶装置５１ａを外部に有し、記憶装置５１ａにはデータベースが形成されている。記憶装置５１ａは情報サーバ５１内にあっても良いことは勿論である。
【００５５】
データベースの内容としては、提供情報がセル毎に形成されている。本実施例では、提供情報として図１２に示すように、セル毎に飲食店、書籍店、衣料品店、靴屋等の店舗情報が形成されている。店舗情報は元は小売店等の情報提供者から提供されたものである。店舗情報の具体例としては、その店舗位置を示す地図データが含まれることは勿論であるが、飲食店の場合には、メニューが含まれる。衣料品店、靴屋、書籍店等の小売店の場合には販売商品の内容の他、バーゲンセールのお知らせ等の情報が含まれる。
【００５６】
なお、１つの情報サーバが全てのセル内の店舗情報を配信することは難しいので、本実施例の情報サーバ５１は予め定められた１又は複数のセル（少なくとも基地局装置５２1〜５２3が担当するセルＣ１〜Ｃ３）内の店舗情報を配信することが行われる。
かかる構成の情報配信システムにおいては、携帯端末装置６１，６２が現在存在するセル（図１１ではセルＣ１）の店舗情報をユーザＰ１又はＰ２のユーザ関連情報に応じてセル内に情報配信することが行われる。次に、この店舗情報配信動作を図１３に従って説明する。図１３の店舗情報配信動作では、基地局装置５２1が担当するセルＣ１内に存在する携帯端末装置６１のユーザＰ１による操作によって店舗情報が配信される場合を示す。
【００５７】
携帯端末装置６１においては、ユーザＰ１による操作部の電源スイッチの操作によって携帯端末装置６１に電源が投入されると、制御回路の動作によって携帯端末装置６１が存在するセルの基地局装置５２1からセル識別コードが制御チャンネルを介して得られ、そのセル識別コードはメモリに記憶され、セル識別コード及び端末識別コードを含む位置登録要求が基地局装置５２1に送信される（ステップＳ６１）。その位置登録要求は基地局装置５２1から電話交換局装置５４に転送される（ステップＳ６２）。電話交換局装置５４では携帯端末装置６１の位置情報としてセル識別コード及び端末識別コードが対となって内部記憶装置（図示せず）に記憶される（ステップＳ６３）。これにより携帯端末装置６１は位置登録されたことになる。
【００５８】
なお、位置登録要求は電源投入後、所定時間毎に自動的に携帯端末装置６１から送信される。
位置登録された後、携帯端末装置６１のユーザＰ１が現在居る地域の店舗情報を要求するために操作部を操作することによって携帯端末装置６１ではユーザの所望条件を示すユーザ関連情報が生成される（ステップＳ６４）。操作部の操作では、必要な情報のためのキーワードが入力される。例えば、靴屋についての店舗情報ならば、「靴」或いは「靴屋」と入力される。ユーザ関連情報にはキーワードと共に端末識別コードが含まれる。なお、ユーザ関連情報の入力が既にされてメモリに記憶されている場合には、ステップＳ６４ではメモリからユーザ関連情報を読み出すことが行われる。
【００５９】
ユーザ関連情報は携帯端末装置６１から基地局装置５２1に送信され（ステップＳ６５）、更に、基地局装置５２1から電話交換局装置５４を介して情報サーバ５１に転送される（ステップＳ６６）。
情報サーバ５１はユーザ関連情報を受信すると、そのユーザ関連情報を発した携帯端末装置６１が存在するセルを確認するために電話交換局装置５４に対して端末セル確認要求を送信する（ステップＳ６７）。端末セル確認要求には、ユーザ関連情報に含まれた端末識別コードが含まれる。
【００６０】
電話交換局装置５４は、端末セル確認要求を受信すると、端末セル確認要求に含まれた端末識別コードと対をなしているセル識別コードを検索する（ステップ６８）。この検索では、ステップＳ６３で位置登録されたセル識別コードが上記の内部記憶装置から読み出される。電話交換局装置５４は、検索の結果、セル識別コードを得たならば、そのセル識別コードと端末識別コードとを含む端末セル情報を情報サーバ５１に送信する（ステップＳ６９）。
【００６１】
情報サーバ５１は端末セル情報を受信すると、受信した端末セル情報に含まれるセル識別コードがセルＣ１であることを判別した後（ステップＳ６９ａ）、ユーザ関連情報に含まれたキーワードに応じてデータベースを検索する（ステップＳ７０）。検索されるデータベースはセルＣ１用である。データベースの検索結果、キーワードに適合した店舗情報がある場合には、ステップＳ７０の検索結果に応じて配信店舗情報が例えば、所定形式のファイルとして作成され（ステップＳ７１）、その配信店舗情報はユーザ関連情報に含まれたセル識別コードが示すセルに存在する全て携帯端末装置のために送信される（ステップＳ７２）。
【００６２】
送信された配信店舗情報は、電話交換局装置５４を介して携帯端末装置６１が存在するセルＣ１の基地局装置５２1に転送され、更に、基地局装置５２1から無線信号として携帯端末装置６１及び他の携帯端末装置６２にも送信される（ステップＳ７３）。なお、本実施例ではセルＣ１内に存在する携帯端末装置として携帯端末装置６１及び６２しか示していないが、ステップＳ７３では配信店舗情報はセルＣ１内に存在する全ての携帯端末装置に対して送信される。
【００６３】
携帯端末装置６１，６２は配信店舗情報を受信すると、表示部に配信店舗情報に基づいた表示を行う（ステップＳ７４）。
ユーザ関連情報のキーワードとして例えば、携帯端末装置６１において「靴屋」と入力されたならば、情報サーバ５１では「靴屋」をキーワードとして店舗情報のデータベースからキーワード検索が行われ、靴屋に関する店舗情報が得られる。検索結果の靴屋に関する店舗情報は配信店舗情報として電話交換局装置５４、そして基地局装置５２1を介して携帯端末装置６１，６２に供給され、靴屋の位置及び販売商品の内容等の店舗情報が携帯端末装置６１，６２各々において表示される。
【００６４】
なお、ステップＳ７３の実行時点で携帯端末装置６１がユーザＰ１の移動と共にセルＣ１以外のセルに移動してしまった場合には携帯端末装置６１ではステップＳ７４は実行されない。すなわち、ステップＳ７３の実行時点でセルＣ１内に存在する携帯端末装置に対して配信店舗情報は送信されるのである。
また、携帯端末装置６１がステップＳ６９ａでセルＣ１内に位置することが判別された場合には、図１４に示すように、情報サーバ５１はユーザ関連情報の要求を発し（ステップＳ７６）、基地局装置５２1は無線信号にてユーザ関連情報の要求を携帯端末装置６１に送信し（ステップＳ７７）、それに応答して携帯端末装置６１はユーザの所望条件を示すユーザ関連情報をメモリから読み出し（ステップＳ６４）、それに続いてステップＳ６５及びＳ６６が実行されるようにしても良い。
【００６５】
図１５は図１１のシステムにおける別の店舗情報配信動作を示している。図１５の店舗情報配信動作では、携帯端末装置６１からユーザ関連情報は情報サーバ５１に予め送信され、その後、移動先のセル内で位置登録を行うことによってユーザ関連情報に対応した店舗情報が配信される。
具体的に説明すると、携帯端末装置６１のユーザＰ１が店舗情報を要求するために操作部を操作することによって携帯端末装置６１ではユーザ関連情報が生成される（ステップＳ８１）。なお、ユーザ関連情報の入力が既にされてメモリに記憶されている場合には、ステップＳ８１ではメモリからユーザ関連情報を読み出すことが行われる。
【００６６】
ユーザ関連情報は携帯端末装置６１から現在存在するセルの基地局装置に送信され（ステップＳ８２）、更に、基地局装置から電話交換局装置５４を介して情報サーバ５１に転送される（ステップＳ８３）。携帯端末装置６１がセルＣ２内に存在する場合には、ユーザ関連情報は携帯端末装置６１から基地局装置５２2、そして電話交換局装置５４を介して情報サーバ５１に転送される。
【００６７】
情報サーバ５１はユーザ関連情報を受信すると、そのユーザ関連情報の内容を保存する（ステップＳ８４）。
携帯端末装置６１のユーザＰ１が例えば、セルＣ２内からセルＣ１内に移動した後、携帯端末装置６１においては、ユーザＰ１による操作部の操作に応じて或いは自動的に、制御回路の動作によって携帯端末装置６１が存在するセルの基地局装置５２1からセル識別コードが制御チャンネルを介して得られ、そのセル識別コードはメモリに記憶され、セル識別コード及び端末識別コードを含む位置登録要求が基地局装置５２1に送信される（ステップＳ８５）。その位置登録要求は基地局装置５２1から電話交換局装置５４に転送される（ステップＳ８６）。電話交換局装置５４では携帯端末装置６１の位置情報としてセル識別コード及び端末識別コードが対となって内部記憶装置に記憶される（ステップＳ８７）。これにより携帯端末装置６１は位置登録されたことになる。
【００６８】
電話交換局装置５４は位置登録を行った後、その位置登録のセル識別コードと端末識別コードとを含む端末セル情報を情報サーバ５１に送信する（ステップＳ８８）。
情報サーバ５１は端末セル情報を受信すると、受信した端末セル情報に含まれるセル識別コードがセルＣ１であることを判別した後（ステップＳ８８ａ）、受信した端末セル情報に含まれる端末識別コードに対応したユーザ関連情報を読み出す（ステップ８９）。このステップＳ８９で読み出すユーザ関連情報はステップＳ８４で保持された要求である。ステップＳ８９の実行後、読み出したユーザ関連情報に含まれたキーワードに応じてデータベースを検索する（ステップＳ９０）。データベースの検索結果、キーワードに適合した店舗情報がある場合には、ステップＳ９０の検索結果に応じて配信店舗情報が例えば、所定形式のファイルとして作成され（ステップＳ９１）、その配信店舗情報はユーザ関連情報に含まれたセル識別コードが示すセルに存在する全て携帯端末装置のために送信される（ステップＳ９２）。
【００６９】
送信された配信店舗情報は、電話交換局装置５４を介して携帯端末装置６１が存在するセルＣ１の基地局装置５２1に転送され、更に、基地局装置５２1から無線信号として携帯端末装置６１及び他の携帯端末装置６２にも送信される（ステップＳ９３）。
携帯端末装置６１，６２は配信店舗情報を受信すると、表示部に配信店舗情報に基づいた表示を行う（ステップＳ９４）。
【００７０】
ステップＳ９０〜Ｓ９４は図１３のステップＳ７０〜Ｓ７４と同一の動作である。
なお、ステップＳ９３の実行時点で携帯端末装置６１がユーザＰ１の移動と共にセルＣ１以外のセルに移動してしまった場合には携帯端末装置６１ではステップＳ９４は実行されない。すなわち、ステップＳ９３の実行時点でセルＣ１内に存在する携帯端末装置に対して配信店舗情報は送信されるのである。
【００７１】
図１６は図１１のシステムにおける別の店舗情報配信動作を示している。図１６の店舗情報配信動作では、同一のセル内に存在する複数の携帯端末装置６１，６２からの個別のユーザ関連情報に対応して情報サーバ５１では検索を各々行い、その各検索結果に基づいてブロードキャスト用の番組を作成して店舗情報が携帯端末装置６１，６２に配信される。
【００７２】
携帯端末装置６２においては、ユーザＰ２による操作部の操作に応じて或いは自動的に、制御回路の動作によって携帯端末装置６２が存在するセルの基地局装置５２1からセル識別コードが制御チャンネルを介して得られ、そのセル識別コードは内部メモリに記憶され、セル識別コード及び携帯端末装置６２の端末識別コードを含む位置登録要求が基地局装置５２1に送信される（ステップＳ１０１）。その位置登録要求は基地局装置５２1から電話交換局装置５４に転送される（ステップＳ１０２）。電話交換局装置５４では携帯端末装置６２の位置情報としてセル識別コード及び端末識別コードが対となって内部記憶装置に記憶され、位置登録が行われる（ステップＳ１０３）。
【００７３】
電話交換局装置５４は位置登録を行った後、その携帯端末装置６２の位置登録のセル識別コードと端末識別コードとを含む端末セル情報を情報サーバ５１に送信する（ステップＳ１０４）。
一方、携帯端末装置６１においても、同様にユーザＰ１による操作部の操作に応じて或いは自動的に、制御回路の動作によって携帯端末装置６１が存在するセルの基地局装置５２1からセル識別コードが制御チャンネルを介して得られ、そのセル識別コードは内部メモリに記憶され、セル識別コード及び携帯端末装置６１の端末識別コードを含む位置登録要求が基地局装置５２1に送信される（ステップＳ１０５）。その位置登録要求は基地局装置５２1から電話交換局装置５４に転送される（ステップＳ１０６）。電話交換局装置５４では携帯端末装置６１の位置情報としてセル識別コード及び端末識別コードが対となって内部記憶装置に記憶され、位置登録が行われる（ステップＳ１０７）。
【００７４】
電話交換局装置５４は位置登録を行った後、その携帯端末装置６１の位置登録のセル識別コードと端末識別コードとを含む端末セル情報を情報サーバ５１に送信する（ステップＳ１０８）。
なお、Ｓ１０１〜Ｓ１０４の動作部分とＳ１０５〜Ｓ１０８の動作部分とは時間的にいずれが先に行われても良い。
【００７５】
図１６には示していないが、図１３〜図１５に示した如く、情報サーバ５１はステップＳ１０４及びＳ１０８によって送られてきた端末セル情報に含まれるセル識別コードがセルＣ１であるか否かを判別し、セル識別コードがセルＣ１である場合に、後述のステップＳ１１２及びＳ１１６が実行される。
携帯端末装置６２のユーザＰ２が現在居る地域の店舗情報を要求するために操作部を操作することによって必要な情報のためのキーワードが入力され、このキーワードに応じて携帯端末装置６２ではユーザ関連情報が生成される（ステップＳ１０９）。ユーザ関連情報は携帯端末装置６２から基地局装置５２1に送信され（ステップＳ１１０）、更に、基地局装置５２1から電話交換局装置５４を介して情報サーバ５１に転送される（ステップＳ１１１）。情報サーバ５１は携帯端末装置６２からのユーザ関連情報を受信すると、そのユーザ関連情報を保持する（ステップＳ１１２）。
【００７６】
同様に、携帯端末装置６１のユーザＰ１が現在居る地域の店舗情報を要求するために操作部を操作することによって必要な情報のためのキーワードが入力され、このキーワードに応じて携帯端末装置６１ではユーザ関連情報が生成される（ステップＳ１１３）。ユーザ関連情報は携帯端末装置６１から基地局装置５２1に送信され（ステップＳ１１４）、更に、基地局装置５２1から電話交換局装置５４を介して情報サーバ５１に転送される（ステップＳ１１５）。情報サーバ５１は携帯端末装置６１からのユーザ関連情報を受信すると、そのユーザ関連情報を保持する（ステップＳ１１６）。
【００７７】
情報サーバ５１は、一定時間が経過したか否かを判別し（ステップＳ１２１）、一定時間が経過したならば、その経過した一定時間内に受信保持されたユーザ関連情報を読み出し（ステップＳ１２２）、そのユーザ関連情報毎にユーザ関連情報に含まれるキーワードに応じてデータベースを検索する（ステップＳ１２３）。データベースの検索結果、各キーワードに適合した店舗情報がある場合には、それらの店舗情報に応じた配信番組情報を作成する（ステップＳ１２４）。
【００７８】
ここで、データベースが飲食店、すなわちグルメに関するものであるとすると、記憶装置５１ａには図１７に示すようにセルＣ１内の飲食店毎に店名、ジャンル、特徴、価格及びヒット数形成されている。この場合にのキーワードとしては、「ラーメン」や「とんこつ」の如きフリーワードとする。キーワードが適合した飲食店についてはヒット数がデータベースにおいて加算更新される。ステップＳ１２３で作成される配信番組情報は、一定時間内に受信保持したユーザ関連情報のキーワードに基づいて検索された飲食店についてヒット数が多い順にＸ個の飲食店のデータからなる。
【００７９】
ステップＳ１２４の実行後、情報サーバ５１は、配信番組情報をユーザ関連情報に含まれたセル識別コードが示すセルＣ１に存在する全て携帯端末装置のために送信する（ステップＳ１２５）。
送信された配信番組情報は、電話交換局装置５４を介して携帯端末装置６１，６２が存在するセルＣ１の基地局装置５２1に転送され、更に、基地局装置５２1から無線信号としてセルＣ１内の携帯端末装置６１，６２を含む携帯端末装置にブロードキャスト送信される（ステップＳ１２６）。
【００８０】
携帯端末装置６１，６２は配信番組情報を受信すると、表示部に配信番組情報に基づいた表示を行う（ステップＳ１２７，Ｓ１２８）。
なお、ステップＳ１２６の実行時点で携帯端末装置６１がユーザＰ１の移動と共にセルＣ１以外のセルに移動してしまった場合には携帯端末装置６１ではステップＳ１２８は実行されない。同様に、ステップＳ１２６の実行時点で携帯端末装置６２がユーザＰ２の移動と共にセルＣ１以外のセルに移動してしまった場合には携帯端末装置６２ではステップＳ１２７は実行されない。すなわち、ステップＳ１２６の実行時点でセルＣ１内に存在する携帯端末装置に対して配信店舗情報はブロードキャスト送信されるのである。
【００８１】
図１８は、図１１の情報配信システムの構成に、更に情報提供者が所有する端末装置６５を備えた情報配信システムを示している。端末装置６５は情報サーバ５１とはインターネット６７を介して接続されている。なお、本実施例では分かり易くするために１つの端末装置６５しか示していないが、複数の情報提供者が居るならば、その情報提供者毎に端末装置が存在し、情報サーバ５１とはインターネット６７を介して接続される。また、端末装置６５と情報サーバ５１との間はインターネット６７に限らず、専用回線であっても良い。
【００８２】
記憶装置５１ａに形成されたデータベースの店舗情報は端末装置６５から送られてくる最新情報によって更新されるようになっている。
かかる図１８に示した構成の情報配信システムの店舗情報配信動作を次に図１９に従って説明する。図１９の店舗情報配信動作では、基地局装置５２1が担当するセルＣ１内に存在する携帯端末装置６１のユーザＰ１による操作によって店舗情報が配信される場合を示す。
【００８３】
携帯端末装置６１による位置登録要求の送信（ステップＳ１３１）、位置登録要求の転送（ステップＳ１３２）、情報サーバ５１による位置登録（ステップＳ１３３）、電話交換局装置５４による端末セル情報の情報サーバ５１への送信（ステップＳ１３４）、携帯端末装置６１によるユーザ関連情報の生成（ステップＳ１３５）、ユーザ関連情報の携帯端末装置６１から基地局装置５２1への送信（ステップＳ１３６）、ユーザ関連情報の基地局装置５２1から電話交換局装置５４を介して情報サーバ５１への転送（ステップＳ１３７）及び情報サーバ５１におけるユーザ関連情報の受信及びその保持（ステップＳ１３８）については、上記したステップＳ１０５〜Ｓ１０８及びステップＳ１１３〜Ｓ１１６の動作と同一である。
【００８４】
図１９には示していないが、図１３〜図１５に示した如く、情報サーバ５１はステップＳ１３４によって送られてきた端末セル情報に含まれるセル識別コードがセルＣ１であるか否かを判別し、セル識別コードがセルＣ１である場合に、後述のステップＳ１３８が実行される。
情報サーバ５１は、ステップＳ１３８で保持したユーザ関連情報に含まれたキーワードを読み出し（ステップＳ１３９）、そのキーワードに応じてデータベースを検索する（ステップＳ１４０）。
【００８５】
また、情報サーバ５１はユーザ関連情報に含まれたキーワードを示す最新情報要求を端末装置６５に送信する（ステップＳ１４１）。最新情報要求はインターネット６７を介して端末装置６５に伝送される。
端末装置６５は、最新情報要求を受信すると、その最新情報要求に応じて装置内に既に保存された情報或いは新たに入力された情報を得て（ステップＳ１４２）、それらの情報を最新情報として情報サーバ５１に送信する（ステップＳ１４３）。この最新情報は例えば、タイムセールや先着セールのようなリアルタイムの広告情報であり、時間経過や実際のセールの状況に従って内容が変化する情報であっても良い。また、送信される広告情報は、必ずしも最新情報である必要はない。
【００８６】
情報サーバ５１では、最新情報を受信すると、その最新情報の中にステップＳ１３９で読み出したキーワードに合致した情報と、ステップＳ１４０で検索された店舗情報とに応じて配信店舗情報が作成され（ステップＳ１４４）、その配信店舗情報は情報要求に含まれたセル識別コードが示すセルに存在する全て携帯端末装置のために送信される（ステップＳ１４５）。
【００８７】
送信された配信店舗情報は、電話交換局装置５４を介して携帯端末装置６１が存在するセルＣ１の基地局装置５２1に転送され、更に、基地局装置５２1から無線信号としてセルＣ１内の携帯端末装置６１，６２を含む携帯端末装置６２に送信される（ステップＳ１４６）。
携帯端末装置６１，６２は配信店舗情報を受信すると、表示部に配信店舗情報に基づいた表示を行う（ステップＳ１４７）。
【００８８】
なお、ステップＳ１４６の実行時点で携帯端末装置６１がユーザＰ１の移動と共にセルＣ１以外のセルに移動してしまった場合には携帯端末装置６１ではステップＳ１４７は実行されない。同様に、ステップＳ１４６の実行時点で携帯端末装置６２がユーザＰ２の移動と共にセルＣ１以外のセルに移動してしまった場合には携帯端末装置６２ではステップＳ１４７は実行されない。すなわち、ステップＳ１４６の実行時点でセルＣ１内に存在する携帯端末装置に対して配信店舗情報は送信されるのである。
【００８９】
かかる図１９の店舗情報配信動作では携帯端末装置のユーザは入力したキーワードに関するセルＣ１内の店舗情報に限らず、リアルタイムの最新店舗情報も同時に得ることができる。
図２０は図１８のシステムにおける別の店舗情報配信動作を示している。図２０の店舗情報配信動作では、同一のセル内に存在する複数の携帯端末装置６１，６２からの個別のユーザ関連情報をまとめて情報サーバ５１では検索を行い、また、情報提供者の端末装置６５に最新情報を要求する。その検索結果及び最新情報が携帯端末装置６１，６２に配信される。
【００９０】
図２０において、ステップＳ１３１〜Ｓ１３８は上記した携帯端末装置６１の動作であり、ステップＳ１５１〜Ｓ１５８はステップＳ１３１〜Ｓ１３８に対応する携帯端末装置６２の動作である。
図２０には示していないが、図１３〜図１５に示した如く、情報サーバ５１はステップＳ１３４及びＳ１５４によって送られてきた端末セル情報に含まれるセル識別コードがセルＣ１であるか否かを判別し、セル識別コードがセルＣ１である場合に、後述のステップＳ１３８及びＳ１５８が実行される。
【００９１】
情報サーバ５１は、ステップＳ１５８の実行後、ステップＳ１３８及びＳ１５８で保持したユーザ関連情報を読み出し（ステップＳ１５９）、ユーザ関連情報をまとめ処理する（ステップＳ１６０）。ステップＳ１６０の動作では、各ユーザ関連情報に含まれたキーワードを加工することが行われる。本実施例では２つの携帯端末装置しか示していないが、更に多くの携帯端末装置からユーザ関連情報があった場合には、閾値より数の多いキーワードを優先することが行われる。情報サーバ５１は、加工したキーワードに応じてデータベースを検索する（ステップＳ１６１）。
【００９２】
また、情報サーバ５１は加工したキーワードに基づいた最新情報要求を端末装置６５に送信する（ステップＳ１６２）。最新情報要求はインターネット６７を介して端末装置６５に伝送される。
その後の動作は上記のステップＳ１４２〜Ｓ１４７と同一である。
図２１は図１８のシステムにおける更に、別の店舗情報配信動作を示している。図２１の店舗情報配信動作では、基地局装置５２1が担当するセルＣ１内に存在する携帯端末装置６１のユーザＰ１による操作によって店舗情報が配信される場合を示す。また、図２１において、ステップＳ１３１〜Ｓ１４０は図１９の店舗情報配信動作と同一部分であるので、同一符号によって示されている。
【００９３】
情報サーバ５１には情報提供者の端末装置６５からデータベースのための店舗情報と共にキーコードが予め送信され（ステップＳ１７０）、記憶装置５１ａに店舗に対応されて店舗情報と共にキーコードが保存される（ステップＳ１７１）。
情報サーバ５１は、データベースの検索結果、キーワードに適合した店舗情報がある場合には、ステップＳ１３９の検索結果に応じて配信店舗情報が作成され（ステップＳ１７２）、その配信店舗情報にキーコードを付加し（ステップＳ１７３）、キーコードを付加した配信店舗情報をユーザ関連情報に含まれたセル識別コードが示すセルに存在する全て携帯端末装置のために送信する（ステップＳ１７４）。
【００９４】
送信されたキーコード付きの配信店舗情報は、電話交換局装置５４を介して携帯端末装置６１が存在するセルＣ１の基地局装置５２1に転送され、更に、基地局装置５２1から無線信号としてセルＣ１内の携帯端末装置６１，６２を含む携帯端末装置に送信される（ステップＳ１７５）。携帯端末装置６１，６２はキーコード付きの配信店舗情報を受信すると、キーコードを内部メモリに保持し（ステップＳ１７６）、表示部に配信店舗情報に基づいた表示を行う（ステップＳ１７７）。
【００９５】
携帯端末装置６１のユーザＰ１が表示された店舗情報に応じてその店舗を訪れて飲食したり、商品を購入した場合には、携帯端末装置６１と情報提供者の端末装置６５との間で例えば、Bluetooth(近距離無線通信の規格)を用いた無線通信或いは携帯無線ネットワークによる通信によって電子決済が行われ（ステップＳ１７８）、また、携帯端末装置６１からキーコードが端末装置６５に送信される（ステップＳ１７９）。端末装置６５は、キーコードを受信すると、携帯電話業者の金融機関の口座への広告料の振り込み要求を金融機関サーバ（図示せず）に対して送信する（ステップＳ１８０）。
【００９６】
かかる図２１の店舗情報配信動作では、携帯端末装置のユーザが配信店舗情報を見てその店舗を訪れて実際に買い物や飲食を行った場合には、情報提供者である店舗は携帯電話事業者に対して広告料を支払うことが行われる。
なお、図１３〜図１６及び図１９〜図２１の店舗情報配信動作では、ブロードキャストによる情報配信が行われるので、その情報を提供した店舗も携帯端末装置の電源がオンであれば配信情報を受信することができる。よって、店舗にとっては配信情報を受信していれば、ユーザの来客を期待又は予想することができるという利点もある。
【００９７】
また、図１３〜図１６及び図１９〜図２１の店舗情報配信動作では、店舗情報が送信されるセル内に存在する携帯端末装置ではその店舗情報を受信して表示することができるが、携帯電話事業者と情報提供について契約したユーザの携帯端末装置のみにブロードキャストによる配信を行うようにしても良い。
更に、図１３〜図１６及び図１９〜図２１の店舗情報配信動作では、携帯端末装置がユーザ関連情報を送信したセルＣ１内から他のセルに移動してしまうと、そのユーザ関連情報に対応した店舗情報を受信することができないが、セルＣ１内に存在する携帯端末装置にブロードキャスト配信すると共にユーザ関連情報を送信した携帯端末装置にも店舗情報を電話通信にて送信するようにしても良い。この場合も携帯電話事業者と情報提供について契約したユーザの携帯端末装置のみにブロードキャスト配信しても良い。
【００９８】
また、図１３〜図１６及び図１９〜図２１の店舗情報配信動作では、店舗情報が送信されるセル内に存在する携帯端末装置ではその店舗情報を受信して表示することができるが、店舗情報が送信されるセル内に存在する携帯端末装置であって所定の時間内にユーザ関連情報を送信して来た携帯端末装置のみにブロードキャストによる配信を行うようにしても良い。
【００９９】
【発明の効果】
以上の如く、本発明によれば、移動端末装置に対してユーザの所望条件に適合した情報を効率よく配信することができる。
【図面の簡単な説明】
【図１】本発明による情報配信システムの構成を示すブロック図である。
【図２】図１のシステムの携帯端末装置の構成を示すブロック図である。
【図３】飲食店情報のデータベースの具体的内容を示す図である。
【図４】地域（セル）内のメッシュ領域を示す図である。
【図５】図１のシステムの飲食店情報配信動作を示すシーケンス図である。
【図６】携帯端末装置の表示部における表示例を示す図である。
【図７】図１のシステムの別の飲食店情報配信動作を示すシーケンス図である。
【図８】本発明による情報配信システムの構成を示すブロック図である。
【図９】図８のシステムの飲食店情報配信動作を示すシーケンス図である。
【図１０】図８のシステムの別の飲食店情報配信動作を示すシーケンス図である。
【図１１】本発明による情報配信システムの構成を示すブロック図である。
【図１２】図１１のシステムのデータベース構造を示す図である。
【図１３】図１１のシステムの店舗情報配信動作を示すシーケンス図である。
【図１４】図１１のシステムの別の店舗情報配信動作を示すシーケンス図である。
【図１５】図１１のシステムの別の店舗情報配信動作を示すシーケンス図である。
【図１６】図１１のシステムの別の店舗情報配信動作を示すシーケンス図である。
【図１７】データベースとして飲食店の内容を示す図である。
【図１８】本発明による情報配信システムの構成を示すブロック図である。
【図１９】図１８のシステムの店舗情報配信動作を示すシーケンス図である。
【図２０】図１８のシステムの別の店舗情報配信動作を示すシーケンス図である。
【図２１】図１８のシステムの別の店舗情報配信動作を示すシーケンス図である。
【符号の説明】
Ｃ１〜Ｃ３  セル
１１，１５，５１  情報サーバ
１２1〜１２3，５２1〜５２3  基地局装置
１４，５４  電話交換局装置
２１，６１，６２  携帯端末装置
【図１】
0004376437.tif 000002
【図２】
0004376437.tif 000003
【図３】
0004376437.tif 000004
【図４】
0004376437.tif 000005
【図５】
0004376437.tif 000006
【図６】
0004376437.tif 000007
【図７】
0004376437.tif 000008
【図８】
0004376437.tif 000009
【図９】
0004376437.tif 000010
【図１０】
0004376437.tif 000011
【図１１】
0004376437.tif 000012
【図１２】
0004376437.tif 000013
【図１３】
0004376437.tif 000014
【図１４】
0004376437.tif 000015
【図１５】
0004376437.tif 000016
【図１６】
0004376437.tif 000017
【図１７】
0004376437.tif 000018
【図１８】
0004376437.tif 000019
【図１９】
0004376437.tif 000020
【図２０】
0004376437.tif 000021
【図２１】
0004376437.tif 000022